(57)【要約】      （修正有）【課題】ＣＤＭＡ移動体通信システムにおいて、非常時に通信トラヒックが輻輳している時に、無線ネットワーク制御装置（ＲＮＣ）に接続する移動体通信端末からの特定のサービス要求を優先するシステムの提供。【解決手段】無線ネットワーク制御装置は、対向する他の無線ネットワーク制御装置、及び／又は、配下の無線基地局との間の有線伝送システムのトラヒックの増大を察知して、所定のサービス用に確保しているパスを、別のサービスに割り当て可能なように動的に切り替える手段を備える。【選択図】図２
2007251494.tif 000002
【特許請求の範囲】
【請求項１】
移動通信端末と無線通信する無線基地局と有線で通信する無線ネットワーク制御装置において、
対向する他の無線ネットワーク制御装置、及び／又は、配下の無線基地局との間の有線伝送システムのトラヒックの増大を検知した場合、所定のサービス用に確保しているパスを、別のサービスに割り当て可能なように動的に切り替える制御を行う手段を備えている、ことを特徴とする無線ネットワーク制御装置。
【請求項２】
対向する他の無線ネットワーク制御装置、及び、配下の無線基地局との間の仮想パス１本あたり、音声通話用／パケット通信用であることを識別するためのパラメータ  ＱＯＳクラスとして、通常と非常の２種類、すなわちＱＯＳクラス（通常）とＱＯＳクラス（非常）を用意し、通常時には、パラメータ  ＱＯＳクラス（通常）を使用し、トラヒックが増大している非常時には、パラメータ  ＱＯＳクラス（非常）を使用する、ことを特徴とする請求項１記載の無線ネットワーク制御装置。
【請求項３】
音声通話用のパスに対して、パラメータ  ＱＯＳクラス（通常）を音声通話用、パラメータ  ＱＯＳクラス（非常）をパケット通信用に設定し、非常時には、前記音声通話用パスを、パケット通信用パスとして使用可能としてなる、ことを特徴とする請求項２記載の無線ネットワーク制御装置。
【請求項４】
仮想パス１本あたりのパラメータ  ＱＯＳクラスとして、パラメータ  ＱＯＳクラス（通常）と、パラメータ  ＱＯＳクラス（非常）の両方が音声通話用に設定され、前記仮想パスは、非常時でも通常時と同様に、音声通話用パスとして使用可能とされ、非常時に、音声通話要求を全て拒絶するのではなく、少量の要求は受け付け可能としてなる、ことを特徴とする請求項２記載の無線ネットワーク制御装置。
【請求項５】
自装置内のＣＰ（呼処理演算処理装置）の負荷を測定する負荷監視手段を備え、自装置にかかるトラヒック量を判断し、前記ＣＰ（呼処理演算処理装置）の負荷が予め定められた閾値を上回った場合には、トラヒック量が増大していると判断して非常と判定し、ＣＰ（呼処理演算処理装置）の負荷が予め定められた閾値を下回ったら、トラヒック量が減少していると判断して、通常と判定する手段を備えている、ことを特徴とする請求項２記載の無線ネットワーク制御装置。
【請求項６】
前記各仮想パスに対応して、通常／非常の状態を管理する状態フラグを備え、
ある仮想パスの状態フラグが通常である場合は、前記仮想パスのパラメータ  ＱＯＳクラス（通常）を参照して、前記仮想パスが音声通話用であるか、パケット通信用であるかを判定し、
ＣＰ（呼処理演算処理装置）の負荷の測定結果が予め定められた閾値を上回った場合、状態は非常であると判断し、仮想パス毎に備えられた状態フラグを非常に設定し、
ある仮想パスの状態フラグが非常である場合は、前記仮想パスのパラメータ  ＱＯＳクラス（非常）を参照して、前記仮想パスが音声通話用であるか、パケット通信用であるかを判定する、ことを特徴とする請求項２記載の無線ネットワーク制御装置。
【請求項７】
仮想パスに対して、一方の前記無線ネットワーク制御装置を主（Ｏｗｎｅｒ）、他方の前記無線ネットワーク制御装置を従（Ｎｏｔ  Ｏｗｎｅｒ）とし、
前記無線ネットワーク制御装置は、自身が主（Ｏｗｎｅｒ）となっている仮想パスに対してのみ、ＣＰ（呼処理演算処理装置）の負荷による、通常／非常の判断に基づいて、通常／非常の状態を設定し、前記仮想パスの状態を対向する、従の前記無線ネットワーク制御装置に通知する、ことを特徴とする請求項２記載の無線ネットワーク制御装置。
【請求項８】
自身が従となっている仮想パスに対して、ＣＰ（呼処理演算処理装置）の負荷による通常時／非常時の判断に基づいた通常／非常時の状態を設定せず、対向する前記無線ネットワーク制御装置からの通知に従ってのみ、状態を設定する、ことを特徴とする請求項２記載の無線ネットワーク制御装置。
【請求項９】
請求項２記載の無線ネットワーク制御装置において、
ＣＰ（呼処理演算処理装置）の負荷を監視するＣＰ負荷監視手段と、
仮想パス情報取り出し手段と、仮想パス情報書き込み手段と、メッセージ生成手段と、
仮想パスを識別するための仮想パス番号と、前記無線ネットワーク制御装置が前記仮想パスの主であるか否かを規定するオーナーシップ（Ｏｗｎｅｒｓｈｉｐ）情報と、仮想パスの状態フラグとを記憶する仮想パス情報記憶部と、
生成メッセージ記憶部と、
出力装置と、
を備え、
前記ＣＰ負荷監視手段は、前記ＣＰ（呼処理演算処理装置）の負荷を監視し、前記ＣＰ（呼処理演算処理装置）の負荷が、予め定められた閾値を上回った時、又は、前記閾値を下回った時、前記仮想パス情報取り出し手段に通知し、
前記仮想パス情報取り出し手段は、前記ＣＰ（呼処理演算処理装置）の負荷が前記閾値を上回った時、前記ＣＰ負荷監視手段からの通知を受けて、前記仮想パス情報記憶部から、仮想パス番号とオーナーシップ（Ｏｗｎｅｒｓｈｉｐ）情報を取り出し、
前記無線ネットワーク制御装置が前記仮想パスの主（Ｏｗｎｅｒ）である場合、前記仮想パス情報書き込み手段は、前記仮想パス情報記憶部の仮想パスの状態フラグを非常に設定し、
前記無線ネットワーク制御装置が前記仮想パスの主（Ｏｗｎｅｒ）でない場合、前記メッセージ生成手段が、仮想パスの状態フラグを非常に変更する旨のメッセージを生成して前記生成メッセージ記憶部に記憶し、
前記仮想パス情報取り出し手段は、前記ＣＰ（呼処理演算処理装置）の負荷が前記閾値を下回った時、前記ＣＰ負荷監視手段からの通知を受けて、前記仮想パス情報記憶部から、仮想パス番号とオーナーシップ（Ｏｗｎｅｒｓｈｉｐ）情報を取り出し、
前記無線ネットワーク制御装置が前記仮想パスの主（Ｏｗｎｅｒ）である場合、前記仮想パス情報書き込み手段は、前記仮想パス情報記憶部の仮想パスの状態フラグを通常に設定し、
前記無線ネットワーク制御装置が前記仮想パスの主（Ｏｗｎｅｒ）でない場合、前記メッセージ生成手段が、前記仮想パスの状態フラグを通常に変更する旨のメッセージを生成して前記生成メッセージ記憶部に記憶し、
前記出力装置は、前記生成メッセージ記憶部に記憶されたメッセージとして、「状態フラグを非常に変更」又は「状態フラグを通常に変更」を、対向する無線ネットワーク制御装置に向けて送信する、ことを特徴とする無線ネットワーク制御装置。
【請求項１０】
請求項２記載の無線ネットワーク制御装置において、
対向する無線ネットワーク制御装置から送信されたメッセージ「状態フラグを非常に変更」又は「状態フラグを通常に変更」を受信する入力装置と、
前記無線ネットワーク制御装置における全ての仮想パスに対する仮想パス情報（状態フラグ）を記憶する仮想パス情報記憶部と、
前記入力装置が受信したメッセージを読み出して、「状態フラグを非常に変更」するのか、又は、「状態フラグを通常に変更」するのかを認識する受信メッセージ読み出し手段と、
前記受信メッセージ読み出し手段の読み出し結果に従って、前期仮想パス情報記憶部に、仮想パスの状態フラグの設定値を書き込む仮想パス情報書き込み手段と、
を備えている、ことを特徴とする無線ネットワーク制御装置。
【請求項１１】
請求項２記載の無線ネットワーク制御装置において、
選択候補仮想パスのパス番号を記憶する選択候補仮想パス記憶部と、
仮想パス情報の状態フラグとＱＯＳクラスを記憶する仮想パス情報記憶部と、
端末からの音声通話要求又はパケット通信要求に伴い、音声通話用仮想パス又はパケット通信用仮想パスの割り当て要求を受ける入力装置と、
音声通話要求かパケット通信要求かを判断するために、前記入力装置が受けた要求内容を参照する要求サービス種別取り出し手段と、
前記選択候補仮想パス記憶部から、選択候補となる仮想パスの仮想パス番号を取り出す選択候補仮想パス取り出し手段と、
前記仮想パス情報記憶部から、仮想パスの状態フラグとＱＯＳクラスを取り出す仮想パス情報取り出し手段と、
前記仮想パス情報取り出し手段にて取り出した仮想パス情報のＱＯＳクラスと、前記要求サービス種別取り出し手段にて取り出した要求内容を比較する、ＱＯＳクラスと要求サービス種別の比較手段と、
割り当て可能な音声通話用仮想パス又はパケット通信用仮想パスの仮想パス番号を出力する出力装置を備えている、ことを特徴とする請求項１又は２記載の無線ネットワーク制御装置。
【請求項１２】
請求項１１記載の無線ネットワーク制御装置において、
前記入力装置は、端末からの音声通話要求又はパケット通信要求に伴い、音声通話用仮想パス又はパケット通信用仮想パスの割り当て要求を受け、
前記要求サービス種別取り出し手段は、音声通話要求かパケット通信要求かを判断するために、前記入力装置が受けた要求内容を参照し、
前記選択候補仮想パス取り出し手段は、前記選択候補仮想パス記憶部から、選択候補となる仮想パスの仮想パス番号を取り出し、
前記仮想パス情報取り出し手段は、前記仮想パス情報記憶部から、選択候補の仮想パス番号に対応した仮想パス情報の状態フラグ、ＱＯＳクラスを取り出し、
取り出した仮想パス情報の状態フラグが通常の場合、前記ＱＯＳクラスと要求サービス種別の比較手段は、選択候補の仮想パス情報  ＱＯＳクラス（通常）と、前記要求サービス種別取り出し手段が取り出した要求内容を比較し、
取り出した仮想パス情報の状態フラグが非常の場合、前記ＱＯＳクラスと要求サービス種別の比較手段は、選択候補の仮想パス情報  ＱＯＳクラス（非常）と、前記要求サービス種別取り出し手段が取り出した要求内容を比較し、
比較結果が一致する場合、前記出力装置は、選択候補の仮想パス番号を、割り当て可能な仮想パスの番号として出力し、
比較結果が一致しない場合、前記選択候補仮想パス取り出し手段は、前記選択候補仮想パス記憶部から、次の選択候補となる仮想パスの仮想パス番号を取り出し、比較結果が一致するまで繰り返す、ことを特徴とする無線ネットワーク制御装置。
【請求項１３】
移動通信端末と無線通信する無線基地局と、請求項１乃至１２のいずれか一に記載の無線ネットワーク制御装置とを備えた移動体通信システム。
【請求項１４】
移動通信端末と無線通信する無線基地局と有線で通信する無線ネットワーク制御装置を備えた移動体通信システムにおけるトラヒック伝達用仮想パスの動的アサイン方法であって、
対向する他の無線ネットワーク制御装置、及び／又は、配下の無線基地局との間の有線伝送システムのトラヒックの増大を検知した場合、所定のサービス用に確保しているパスを、別のサービスに割り当て可能なように動的に切り替える、ことを特徴とするトラヒック伝達用仮想パスの動的アサイン方法。
【請求項１５】
仮想パス１本あたり、音声通話用／パケット通信用であることを識別するためのパラメータ  ＱＯＳクラスを、通常と非常の２種類、すなわちＱＯＳクラス（通常）とＱＯＳクラス（非常）を用意し、
通常時には、パラメータ  ＱＯＳクラス（通常）を使用し、
トラヒックが増大している非常時には、パラメータ  ＱＯＳクラス（非常）を使用する、ことを特徴とする請求項１４記載のトラヒック伝達用仮想パスの動的アサイン方法。
【請求項１６】
音声通話用のパスに対して、パラメータ  ＱＯＳクラス（通常）を音声通話用、パラメータ  ＱＯＳクラス（非常）をパケット通信用と設定し、非常時には、前記音声通話用パスはパケット通信用パスとして使用することができるようにしてなる、ことを特徴とする請求項１５記載のトラヒック伝達用仮想パスの動的アサイン方法。
【請求項１７】
仮想パス１本あたりのパラメータ  ＱＯＳクラスとして、パラメータ  ＱＯＳクラス（通常）と  ＱＯＳクラス（非常）の両方を音声通話用と設定することによって、前記仮想パスは、非常時でも通常時と同様に音声通話用パスとして使用することができ、非常時に、音声通話要求を全て拒絶するのではなく、少量の要求は受け付け可能としてなる、ことを特徴とする請求項１５記載のトラヒック伝達用仮想パスの動的アサイン方法。
【請求項１８】
自身のＣＰ（呼処理演算処理装置）の負荷を測定し、
自装置にかかるトラヒック量を判断し、前記ＣＰ（呼処理演算処理装置）の負荷が予め定められた閾値を上回ったら、トラヒック量が増大していると判断して、非常時と判断し、前記ＣＰ（呼処理演算処理装置）の負荷が予め定められた閾値を下回ったら、トラヒック量が減少していると判断して、通常時と判断する、ことを特徴とする請求項１５記載のトラヒック伝達用仮想パスの動的アサイン方法。
【請求項１９】
ある仮想パスの状態フラグが通常である場合は、その仮想パスのパラメータ  ＱＯＳクラス（通常）を参照して、その仮想パスが音声通話用であるか、パケット通信用であるかを判定し、
ＣＰ（呼処理演算処理装置）の負荷の測定結果が前記予め定められた閾値を上回った場合、状態は非常であると判断し、仮想パス毎にある状態フラグを非常と設定し、
ある仮想パスの状態フラグが「非常」である場合は、前記仮想パスのパラメータ  ＱＯＳクラス（非常）を参照して、前記仮想パスが音声通話用であるか、パケット通信用であるかを判定する、ことを特徴とする請求項１５記載のトラヒック伝達用仮想パスの動的アサイン方法。
【請求項２０】
仮想パスに対して、一方の前記無線ネットワーク制御装置を主（Ｏｗｎｅｒ）、他方の前記無線ネットワーク制御装置を従とし、
前記無線ネットワーク制御装置は、自身が主（Ｏｗｎｅｒ）となっている仮想パスに対してのみ、ＣＰ負荷による通常時／非常時の判断に基づいて、通常／非常時の状態を設定し、前記仮想パスの状態を対向する従の前記無線ネットワーク制御装置に通知する、ことを特徴とする請求項１５記載のトラヒック伝達用仮想パスの動的アサイン方法。
【請求項２１】
自身が従となっている仮想パスに対して、ＣＰ（呼処理演算処理装置）の負荷による通常時／非常時の判断に基づいた通常／非常時の状態を設定せず、対向する前記無線ネットワーク制御装置からの通知に従ってのみ、状態を設定する、ことを特徴とする請求項１５記載のトラヒック伝達用仮想パスの動的アサイン方法。
【請求項２２】
移動通信端末と無線通信する無線基地局と有線で通信する無線ネットワーク制御装置を構成するコンピュータにおいて、
対向する他の無線ネットワーク制御装置、及び／又は、配下の無線基地局との間の有線伝送システムのトラヒックの増大を検知した場合、所定のサービス用に確保しているパスを、別のサービスに割り当て可能なように動的に切替え制御する処理を、実行させるプログラム。
【請求項２３】
請求項２２記載のプログラムにおいて、
仮想パス１本あたりのパラメータ  ＱＯＳクラスを、パラメータ  ＱＯＳクラス（通常）とＱＯＳクラス（非常）の２種類を用意し、
通常時には、パラメータ  ＱＯＳクラス（通常）を使用し、トラヒックが増大している非常時には、パラメータ  ＱＯＳクラス（非常）を使用する、処理を、前記コンピュータに実行させるプログラム。
【請求項２４】
請求項２３記載のプログラムにおいて、
音声通話用のパスに対して、パラメータ  ＱＯＳクラス（通常）を音声通話用、パラメータ  ＱＯＳクラス（非常）をパケット通信用と設定し、非常時には、前記音声通話用パスはパケット通信用パスとして使用することができるようにしてなる、処理を、前記コンピュータに実行させるプログラム。
【請求項２５】
請求項２３記載のプログラムにおいて、
仮想パス１本あたりのパラメータ  ＱＯＳクラスとして、パラメータ  ＱＯＳクラス（通常）とＱＯＳクラス（非常）の両方を音声通話用と設定することによって、前記仮想パスは、非常時でも通常時と同様に音声通話用パスとして使用することができ、非常時に、音声通話要求を全て拒絶するのではなく、少量の要求は受け付け可能としてなる、処理を、前記コンピュータに実行させるプログラム。
【請求項２６】
請求項２３記載のプログラムにおいて、
自装置のＣＰ（呼処理演算処理装置）の負荷を測定し、自装置にかかるトラヒック量を判断し、前記ＣＰ（呼処理演算処理装置）の負荷が予め定められた閾値を上回ったら、トラヒック量が増大していると判断して、非常時と判断し、ＣＰ負荷が予め定められた閾値を下回ったら、トラヒック量が減少していると判断して、通常時と判断する、処理を、前記コンピュータに実行させるプログラム。
【請求項２７】
請求項２３記載のプログラムにおいて、
ある仮想パスの状態フラグが通常である場合は、前記仮想パスのパラメータ  ＱＯＳクラス（通常）を参照して、その仮想パスが音声通話用であるか、パケット通信用であるかを判定し、
ＣＰ（呼処理演算処理装置）の負荷の測定結果が予め定められた閾値を上回った場合、状態は非常であると判断し、仮想パス毎にある状態フラグを非常と設定し、
ある仮想パスの状態フラグが非常である場合は、前記仮想パスのパラメータ  ＱＯＳクラス（非常）を参照して、前記仮想パスが音声通話用であるか、パケット通信用であるかを判定する、処理を、前記コンピュータに実行させるプログラム。
【請求項２８】
請求項２３記載のプログラムにおいて、
仮想パスに対して、一方の前記無線ネットワーク制御装置を主（Ｏｗｎｅｒ）、他方の前記無線ネットワーク制御装置を従とし、
前記無線ネットワーク制御装置は、自身が主（Ｏｗｎｅｒ）となっている仮想パスに対してのみ、ＣＰ（呼処理演算処理装置）の負荷による通常時／非常時の判断に基づいて、通常／非常時の状態を設定し、前記仮想パスの状態を対向する従の前記無線ネットワーク制御装置に通知する、処理を、前記コンピュータに実行させるプログラム。
【請求項２９】
請求項２３記載のプログラムにおいて、
自身が従となっている仮想パスに対して、ＣＰ（呼処理演算処理装置）の負荷による通常時／非常時の判断に基づいた通常／非常時の状態を設定せず、対向する前記無線ネットワーク制御装置からの通知に従ってのみ、状態を設定する、処理を、前記コンピュータに実行させるプログラム。
【発明の詳細な説明】
【技術分野】
【０００１】
本発明は、ＣＤＭＡ（Ｃｏｄｅ  Ｄｉｖｉｓｉｏｎ  Ｍｕｌｔｉｐｌｅ  Ａｃｃｅｓｓ）移動体通信システムに関し、特に、ＲＮＣ（Ｒａｄｉｏ  Ｎｅｔｗｏｒｋ  Ｃｏｎｔｒｏｌｌｅｒ）間、ＲＮＣと無線基地局間の有線伝送システムにおけるトラヒック伝達用仮想パスの動的アサイン方法とシステム及び装置に関する。
【背景技術】
【０００２】
災害などの非常時には、トラヒックが増大して、携帯電話（音声通話／パケット通信）がかかりにくくなることが知られている。非常時においては、緊急用のメッセージと重要な通信を確保するために、パケット通信を優先することが求められている。
【０００３】
例えば、災害発生時の安否確認を目的としたインターネット掲示板サービスが従来より提供されている。インターネット掲示板サービスへのアクセス要求を優先することが求められている。
【０００４】
通信速度やサービス品質（ＱｏＳ）の保証のないベストエフォート型（Ｂｅｓｔ  Ｅｆｆｏｒｔ）のパケット通信トラヒックが音声通話に影響を与えないように、無線ネットワーク制御装置（ＲＮＣ）や無線基地局（ＢＴＳ）を接続している仮想パスを、音声通話用パスとパケット通信用パスに分ける方式が、従来より知られている。
【０００５】
これによって、ベストエフォート型（Ｂｅｓｔ  Ｅｆｆｏｒｔ）のパケット通信トラヒックが増大しても、音声通話用のパスは確保されているので影響を受けない。しかし、災害などの非常時には、パケット通信を優先することが求められているが、仮想パスを音声通話用パスとパケット通信用パスに分ける方式では、音声通話用に確保しているパスを一時的にパケット通信用に割り当てることは、現状、できない。
【０００６】
トラヒックの増大を察知して、特定のサービス要求、例えば音声通話要求、を全て規制する機能は存在する。しかしながら、この場合、音声通話要求は全て拒絶されることになる。
【０００７】
音声通話要求の受付可能量を縮小して、パケット通信要求の受付可能量を拡大する機能は存在していない、というのが現状である。
【０００８】
特許文献１には、基地局（ＢＴＳ）と移動局の無線パケット伝送システムにおいて、基地局は、各種サービス品質毎に異なる複数個の送信許可確率情報を報知し、各々の送信許可確率に異なる優先度を付加し、予約チャネル容量と予約信号のトラフィック量を推定し、これらの値に応じて送信許可確率間の優先度を適応的に変化させ、予約信号のトラフィック量のしきい値を設定し、第１優先度のサービス品質の予約信号のトラフィック量がしきい値以上になった場合、すべての予約チャネル容量を第１優先度のサービス品質の予約信号の伝送用に割り当てるようにした構成が開示されている。
【０００９】
【特許文献１】特開平１１−１７６０７号公報
【発明の開示】
【発明が解決しようとする課題】
【００１０】
従来、仮想パスを音声通話用パスとパケット通信用パスに分ける方式において、仮想パスには、音声通話用／パケット通信用であることを識別するパラメータ“ＱＯＳクラス”が設定されている。
【００１１】
ＲＮＣはパラメータ“ＱＯＳクラス”を参照して、音声通話／パケット通信に使用する仮想パスを決定する。パラメータ“ＱＯＳクラス”が“音声通話用”となっているパスは音声通話用パスとして、パラメータ“ＱＯＳクラス”が“パケット通信用”となっているパスはパケット通信用パスとして使用する。
【００１２】
上記の方式は、例えば、音声通話用に確保しているパスを一時的にパケット通信用に割り当てることは現状できない。
【００１３】
したがって、本発明の目的は、ＣＤＭＡ移動体通信システムにおいて、災害などの非常時に通信トラヒックが輻輳している時に、無線ネットワーク制御装置（ＲＮＣ）に接続する移動体通信端末からの特定のサービス要求を優先するシステム、方法、装置並びにコンピュータプログラムを提供することにある。
【課題を解決するための手段】
【００１４】
本願で開示される発明される発明は前記課題を解決するため、概略以下の構成とされる。
【００１５】
本発明の１つの側面に係る無線ネットワーク制御装置は、移動通信端末と無線通信する無線基地局と有線で通信する無線ネットワーク制御装置において、対向する他の無線ネットワーク制御装置、及び／又は、配下の無線基地局との間の有線伝送システムのトラヒックの増大を察知して、所定のサービス用に確保しているパスを、別のサービスに割り当て可能なように動的に切り替える手段を備えている、ことを特徴とする。
【００１６】
本発明において、仮想パス１本あたり、音声通話用／パケット通信用であることを識別するパラメータ“ＱＯＳクラス”を、パラメータ“ＱＯＳクラス（通常）”と“ＱＯＳクラス（非常）”の２種類を用意し、通常時には、パラメータ“ＱＯＳクラス（通常）”を使用し、トラヒックが増大している非常時には、パラメータ“ＱＯＳクラス（非常）”を使用する。
【００１７】
本発明において、音声通話用のパスに対して、パラメータ“ＱＯＳクラス（通常）”を“音声通話用”、パラメータ“ＱＯＳクラス（非常）”を“パケット通信用”と設定し、非常時には、前記音声通話用パスはパケット通信用パスとして使用することができるようにしてなる。
【００１８】
本発明において、仮想パス１本あたりのパラメータ“ＱＯＳクラス”として、パラメータ“ＱＯＳクラス（通常）”と“ＱＯＳクラス（非常）”の両方を、“音声通話用”と設定することによって、前記仮想パスは、非常時でも通常時と同様に音声通話用パスとして使用することができ、非常時に、音声通話要求を全て拒絶するのではなく、少量の要求は受け付け可能としてなる。
【００１９】
本発明において、自身（ＲＮＣ内）のＣＰ（呼処理演算処理装置）の負荷を測定する負荷監視手段を備え、自装置にかかるトラヒック量を判断し、ＣＰの負荷がある閾値を上回ったら、トラヒック量が増大していると判断して、非常時と判断し、ＣＰ負荷がある閾値を下回ったら、トラヒック量が減少していると判断して、通常時と判断する。
【００２０】
本発明において、ある仮想パスの状態フラグが「通常」である場合は、その仮想パスのパラメータ“ＱＯＳクラス（通常）”を参照して、その仮想パスが音声通話用であるか、パケット通信用であるかを判定し、
ＣＰ負荷の測定結果がある閾値を上回った場合、状態は「非常」であると判断し、仮想パス毎にある状態フラグを「非常」と設定し、
本発明において、ある仮想パスの状態フラグが「非常」である場合は、前記仮想パスのパラメータ“ＱＯＳクラス（非常）”を参照して、前記仮想パスが音声通話用であるか、パケット通信用であるかを判定する。
【００２１】
本発明において、仮想パスに対して、一方の前記無線ネットワーク制御装置を主（Ｏｗｎｅｒ）、他方の前記無線ネットワーク制御装置を従とし、前記無線ネットワーク制御装置は、自身が主（Ｏｗｎｅｒ）となっている仮想パスに対してのみ、ＣＰ負荷による通常時／非常時の判断に基づいて、通常／非常時の状態を設定し、前記仮想パスの状態を対向する従の前記無線ネットワーク制御装置に通知する構成としてもよい。
【００２２】
本発明において、自身が従となっている仮想パスに対して、ＣＰ負荷による通常時／非常時の判断に基づいた通常／非常時の状態を設定せず、対向する前記無線ネットワーク制御装置からの通知に従ってのみ、状態を設定する構成としてもよい。
【００２３】
本発明の１のアスペクト（側面）に係る無線ネットワーク制御装置は、好ましくは、ＣＰ負荷監視手段と、仮想パス情報取り出し手段と、仮想パス情報書き込み手段と、メッセージ生成手段と、仮想パスを識別するための仮想パス番号と、前記無線ネットワーク制御装置が前記仮想パスの主であるか否かを規定するオーナーシップ（Ｏｗｎｅｒｓｈｉｐ）情報と、仮想パスの状態フラグを記憶する仮想パス情報記憶部と、生成メッセージ記憶部と、出力装置と、を備えている。前記ＣＰ負荷監視手段は、ＣＰ負荷を監視し、ＣＰ負荷がある閾値を上回った時、又は、ある閾値を下回った時、前記仮想パス情報取り出し手段に通知する。前記仮想パス情報取り出し手段は、ＣＰ負荷がある閾値を上回った時、前記ＣＰ負荷監視手段からの通知を受けて、仮想パス情報記憶部から、仮想パス番号とＯｗｎｅｒｓｈｉｐ情報を取り出し、前記無線ネットワーク制御装置が前記仮想パスの主（Ｏｗｎｅｒ）である場合、前記仮想パス情報書き込み手段は、前記仮想パス情報記憶部の仮想パスの状態フラグを「非常」に設定し、前記無線ネットワーク制御装置が前記仮想パスの主（Ｏｗｎｅｒ）でない場合、前記メッセージ生成手段が、仮想パスの状態フラグを非常に変更する旨のメッセージを生成して前記生成メッセージ記憶部に記憶する。また、ある閾値を下回った時、前記仮想パス情報取り出し手段は、前記ＣＰ負荷監視手段からの通知を受けて、仮想パス情報記憶部から、仮想パス番号とＯｗｎｅｒｓｈｉｐ情報を取り出し、前記無線ネットワーク制御装置が前記仮想パスの主（Ｏｗｎｅｒ）である場合、前記仮想パス情報書き込み手段は、前記仮想パス情報記憶部の仮想パスの状態フラグを「通常」に設定し、前記無線ネットワーク制御装置が前記仮想パスの主（Ｏｗｎｅｒ）でない場合、前記メッセージ生成手段が、前記仮想パスの状態フラグを通常に変更する旨のメッセージを生成して前記生成メッセージ記憶部に記憶する。前記出力装置は、前記生成メッセージ記憶部に記憶されたメッセージ「状態フラグを非常に変更」又は「状態フラグを通常に変更」を対向無線ネットワーク制御装置に向けて送信する。
【００２４】
本発明の他のアスペクト（側面）に係る無線ネットワーク制御装置は、対向無線ネットワーク制御装置から送信されたメッセージ「状態フラグを非常に変更」又は「状態フラグを通常に変更」を受信する入力装置と、１つの無線ネットワーク制御装置における全ての仮想パスに対する仮想パス情報（状態フラグ）を記憶している仮想パス情報記憶部と、前記入力装置が受信したメッセージを読み出して、「状態フラグを非常に変更」するのか、又は「状態フラグを通常に変更」するのかを認識する受信メッセージ読み出し手段と、を備えている。前記受信メッセージ読み出し手段の読み出し結果に従って、仮想パス情報記憶部に、仮想パスの状態フラグの設定値を書き込む仮想パス情報書き込み手段を備えている。
【００２５】
本発明の他のアスペクト（側面）に係る無線ネットワーク制御装置は、前記無線ネットワーク制御装置が、端末からの音声通話要求又はパケット通信要求に伴い、音声通話用仮想パス又はパケット通信用仮想パスの割り当て要求を受ける入力装置と、音声通話要求かパケット通信要求かを判断するために、前記入力装置が受けた要求内容を参照する要求サービス種別取り出し手段と、選択候補仮想パス記憶部から、選択候補となる仮想パスの仮想パス番号を取り出す選択候補仮想パス取り出し手段と、仮想パス情報記憶部から、仮想パスの状態フラグとＱＯＳクラスを取り出す仮想パス情報取り出し手段と、前記仮想パス情報取り出し手段にて取り出した仮想パス情報のＱＯＳクラスと、前記要求サービス種別取り出し手段にて取り出した要求内容を比較する、ＱＯＳクラスと要求サービス種別の比較手段と、選択候補仮想パスのパス番号を記憶する選択候補仮想パス記憶部と、仮想パス情報の状態フラグとＱＯＳクラスを記憶する仮想パス情報記憶部と、割り当て可能な音声通話用仮想パス又はパケット通信用仮想パスの仮想パス番号を出力する出力装置を備えている。
【００２６】
本発明において、前記入力装置は、端末からの音声通話要求又はパケット通信要求に伴い、音声通話用仮想パス又はパケット通信用仮想パスの割り当て要求を受け、前記要求サービス種別取り出し手段は、音声通話要求かパケット通信要求かを判断するために、前記入力装置が受けた要求内容を参照し、前記選択候補仮想パス取り出し手段は、前記選択候補仮想パス記憶部から、選択候補となる仮想パスの仮想パス番号を１つ取り出し、前記仮想パス情報取り出し手段は、前記仮想パス情報記憶部から、選択候補の仮想パス番号に対応した仮想パス情報の状態フラグ、ＱＯＳクラスを取り出し、取り出した仮想パス情報の状態フラグが通常の場合、前記ＱＯＳクラスと要求サービス種別の比較手段は、選択候補の仮想パス情報（ＱＯＳクラス（通常））と、前記要求サービス種別取り出し手段が取り出した要求内容を比較し、取り出した仮想パス情報の状態フラグが非常の場合、前記ＱＯＳクラスと要求サービス種別の比較手段は、選択候補の仮想パス情報（ＱＯＳクラス（非常））と、前記要求サービス種別取り出し手段が取り出した要求内容を比較し、
比較結果が一致する場合、前記出力装置は、選択候補の仮想パス番号を、割り当て可能な仮想パスの番号として出力し、比較結果が一致しない場合、前記選択候補仮想パス取り出し手段は、前記選択候補仮想パス記憶部から、次の選択候補となる仮想パスの仮想パス番号を１つ取り出し、比較結果が一致するまで繰り返すようにしてもよい。
【００２７】
本発明に係るシステムは、移動通信端末と無線通信する無線基地局と、上記した無線ネットワーク制御装置を備えている。
【００２８】
本発明に係る方法は、移動通信端末と無線通信する無線基地局と有線で通信する無線ネットワーク制御装置を備えた移動体通信システムにおけるトラヒック伝達用仮想パスの動的アサイン方法であって、
対向する他の無線ネットワーク制御装置、及び／又は、配下の無線基地局との間の有線伝送システムのトラヒックの増大を察知して、所定のサービス用に確保しているパスを、別のサービスに割り当て可能なように動的に切り替える、ことを特徴とする。
【００２９】
本発明に係る方法において、仮想パス１本あたり、音声通話用／パケット通信用であることを識別するパラメータ“ＱＯＳクラス”を、パラメータ“ＱＯＳクラス（通常）”と“ＱＯＳクラス（非常）”の２種類を用意し、
通常時には、パラメータ“ＱＯＳクラス（通常）”を使用し、
トラヒックが増大している非常時には、パラメータ“ＱＯＳクラス（非常）”を使用する、ことを特徴とする。
【００３０】
本発明に係る方法において、音声通話用のパスに対して、パラメータ“ＱＯＳクラス（通常）”を“音声通話用”、パラメータ“ＱＯＳクラス（非常）”を“パケット通信用”と設定し、非常時には、前記音声通話用パスはパケット通信用パスとして使用することができるようにしてなる。
【００３１】
本発明に係る方法において、仮想パス１本あたりのパラメータ“ＱＯＳクラス”として、パラメータ“ＱＯＳクラス（通常）”と“ＱＯＳクラス（非常）”の両方を、“音声通話用”と設定することによって、前記仮想パスは、非常時でも通常時と同様に音声通話用パスとして使用することができ、非常時に、音声通話要求を全て拒絶するのではなく、少量の要求は受け付け可能としてなる。
【００３２】
本発明に係る方法において、自身のＣＰ（呼処理演算処理装置）の負荷を測定し、
自装置にかかるトラヒック量を判断し、ＣＰの負荷がある閾値を上回ったら、トラヒック量が増大していると判断して、非常時と判断し、ＣＰ負荷がある閾値を下回ったら、トラヒック量が減少していると判断して、通常時と判断する。
【００３３】
本発明に係る方法において、ある仮想パスの状態フラグが「通常」である場合は、その仮想パスのパラメータ“ＱＯＳクラス（通常）”を参照して、その仮想パスが音声通話用であるか、パケット通信用であるかを判定し、
ＣＰ負荷の測定結果がある閾値を上回った場合、状態は「非常」であると判断し、仮想パス毎にある状態フラグを「非常」と設定し、
ある仮想パスの状態フラグが「非常」である場合は、前記仮想パスのパラメータ“ＱＯＳクラス（非常）”を参照して、前記仮想パスが音声通話用であるか、パケット通信用であるかを判定する。
【００３４】
本発明に係る方法において、仮想パスに対して、一方の前記無線ネットワーク制御装置を主（Ｏｗｎｅｒ）、他方の前記無線ネットワーク制御装置を従とし、
前記無線ネットワーク制御装置は、自身が主（Ｏｗｎｅｒ）となっている仮想パスに対してのみ、ＣＰ負荷による通常時／非常時の判断に基づいて、通常／非常時の状態を設定し、前記仮想パスの状態を対向する従の前記無線ネットワーク制御装置に通知する。
【００３５】
本発明に係る方法において、自身が従となっている仮想パスに対して、ＣＰ負荷による通常時／非常時の判断に基づいた通常／非常時の状態を設定せず、対向する前記無線ネットワーク制御装置からの通知に従ってのみ、状態を設定する。
【００３６】
本発明に係るコンピュータ・プログラムは、移動通信端末と無線通信する無線基地局と有線で通信する無線ネットワーク制御装置を構成するコンピュータにおいて、
対向する他の無線ネットワーク制御装置、及び／又は、配下の無線基地局との間の有線伝送システムのトラヒックの増大を察知して、所定のサービス用に確保しているパスを、別のサービスに割り当て可能なように動的に切り替える処理を実行させるプログラムよりなる。
【００３７】
本発明に係るコンピュータプログラムにおいて、仮想パス１本あたりのパラメータ“ＱＯＳクラス”を、パラメータ“ＱＯＳクラス（通常）”と“ＱＯＳクラス（非常）”の２種類を用意し、通常時には、パラメータ“ＱＯＳクラス（通常）”を使用し、トラヒックが増大している非常時には、パラメータ“ＱＯＳクラス（非常）”を使用する。
【００３８】
本発明に係るコンピュータプログラムにおいて、音声通話用のパスに対して、パラメータ“ＱＯＳクラス（通常）”を“音声通話用”、パラメータ“ＱＯＳクラス（非常）”を“パケット通信用”と設定し、非常時には、前記音声通話用パスはパケット通信用パスとして使用することができるようにしてなる。
【００３９】
本発明に係るコンピュータプログラムにおいて、仮想パス１本あたりのパラメータ“ＱＯＳクラス”として、パラメータ“ＱＯＳクラス（通常）”と“ＱＯＳクラス（非常）”の両方を、“音声通話用”と設定することによって、前記仮想パスは、非常時でも通常時と同様に音声通話用パスとして使用することができ、非常時に、音声通話要求を全て拒絶するのではなく、少量の要求は受け付け可能としてなる。
【００４０】
本発明に係るコンピュータプログラムにおいて、自身のＣＰ（呼処理演算処理装置）の負荷を測定し、自装置にかかるトラヒック量を判断し、ＣＰの負荷がある閾値を上回ったら、トラヒック量が増大していると判断して、非常時と判断し、ＣＰ負荷がある閾値を下回ったら、トラヒック量が減少していると判断して、通常時と判断する。
【００４１】
本発明に係るコンピュータプログラムにおいて、ある仮想パスの状態フラグが「通常」である場合は、その仮想パスのパラメータ“ＱＯＳクラス（通常）”を参照して、その仮想パスが音声通話用であるか、パケット通信用であるかを判定し、
ＣＰ負荷の測定結果がある閾値を上回った場合、状態は「非常」であると判断し、仮想パス毎にある状態フラグを「非常」と設定し、
ある仮想パスの状態フラグが「非常」である場合は、前記仮想パスのパラメータ“ＱＯＳクラス（非常）”を参照して、前記仮想パスが音声通話用であるか、パケット通信用であるかを判定する処理を実行する。
【００４２】
本発明に係るコンピュータプログラムにおいて、仮想パスに対して、一方の前記無線ネットワーク制御装置を主（Ｏｗｎｅｒ）、他方の前記無線ネットワーク制御装置を従とし、前記無線ネットワーク制御装置は、自身が主（Ｏｗｎｅｒ）となっている仮想パスに対してのみ、ＣＰ負荷による通常時／非常時の判断に基づいて、通常／非常時の状態を設定し、前記仮想パスの状態を対向する従の前記無線ネットワーク制御装置に通知する。
【００４３】
本発明に係るコンピュータプログラムにおいて、自身が従となっている仮想パスに対して、ＣＰ負荷による通常時／非常時の判断に基づいた通常／非常時の状態を設定せず、対向する前記無線ネットワーク制御装置からの通知に従ってのみ、状態を設定する。
【発明の効果】
【００４４】
本発明によれば、無線ネットワーク制御装置（ＲＮＣ）がトラヒックの増大を察知して、自動で、音声通話用パスをパケット通信パスに切り替えるため、災害などの非常時にトラヒックが増大して、携帯電話（音声通話／パケット通信）がかかりにくくなった場合に、自動的にパケット通信要求を優先することができる。
【００４５】
本発明によれば、トラヒックが増大している時に、特定のサービス要求、例えば音声通話要求、を全て規制する従来機能とは異なり、音声通話要求の受付可能量を縮小して少量は受け付けることができる。その理由は、少量の仮想パスに対して、パラメータ“ＱＯＳクラス（通常）”と“ＱＯＳクラス（非常）”の両方を“音声通話用”と設定することによって、非常時でもこれらの仮想パスは音声通話用パスとして使用することができるためである。
【発明を実施するための最良の形態】
【００４６】
上記した本発明についてさらに詳細に説述すべく、添付図面を参照して以下に説明する。Ｗ−ＣＤＭＡ方式のシステムを構成する無線ネットワーク制御装置（ＲＮＣ）は、無線基地局装置（ＢＴＳ）の制御、発着信接続制御、終話制御、ダイバーシチハンドオーバ制御等を行うが、本発明では、災害などの非常時に通信トラヒックが輻輳している時に、ＲＮＣに接続する移動体通信端末からの特定のサービス要求を優先する構成を提供するものである。
【００４７】
本発明では、ＲＮＣは、トラヒックが増大していることを察知して、自動で、特定のサービス要求を制限して、別種のサービス要求を優先する制御を行う。トラヒックが通常へ復帰したら、ＲＮＣはこの制限と優先を、自動で取りやめて通常動作に復帰する。
【００４８】
例として、災害などの非常時に通信トラヒックが輻輳している時に、音声通話要求を制限して、パケット通信要求を優先することが可能となる。トラヒックが通常へ復帰したら、音声通話要求の制限と、パケット通信要求の優先を、自動で取りやめる。
【００４９】
なお、本願出願人による先願（特願２００５−０１０１５７号）（本願出願時未公開）には、無線基地局装置と移動局との間の無線通信システムにおいて、無線通信システムの収容能力を上回るアクセスがある場合、無線通信システムの輻輳を防ぐため、端末（移動局）からのアクセス要求を、段階的に規制するようにした輻輳制御方法、及び装置が開示されている。
【００５０】
これに対して、本発明は、ＲＮＣと対向ＲＮＣ、及び／又は、ＲＮＣとＢＴＳ間の有線伝送システムの有線回線帯域の利用優先度を、例えばＲＮＣの負荷上昇に連動して、切替制御するものである。
【００５１】
図１は、本発明の一実施の形態のＣＤＭＡ移動体通信システムのシステム構成の一例を示す図である。図１を参照すると、本発明の一実施の形態のＣＤＭＡ移動体通信システムは、複数のＲＮＣ（無線ネットワーク制御装置）１０と、ＲＮＣに接続される無線基地局２０と、無線基地局２０と無線回線で通信する移動体通信端末３０から構成される。無線回線において、端末が移動通信サービスを受けることができるサービスエリアの最小単位としてセル４０が構成されている。ＲＮＣと無線基地局、又は、ＲＮＣとＲＮＣとの間は、仮想パス５０で論理的に接続されている。
【００５２】
仮想パスは、ＲＮＣ１０と無線基地局２０、又は、ＲＮＣ１０とＲＮＣ１０とを物理的に接続している物理回線上に構築されている。
【００５３】
仮想パスは、１つのＲＮＣ１０と１つの無線基地局２０、又は、１つのＲＮＣ１０と１つのＲＮＣ１０との間に、複数本数構築されている。
【００５４】
ＲＮＣ１０は、端末３０からの音声通話要求又はパケット通信要求に応じて、仮想パス５０内部に、音声通話又はパケット通信のユーザトラヒックデータ送信用の論理接続を確立する。
【００５５】
ＲＮＣ１０は、音声通話又はパケット通信のユーザトラヒックデータを、この論理接続を用いて仮想パス５０内を伝達する。
【００５６】
ベストエフォート型（Ｂｅｓｔ  Ｅｆｆｏｒｔ）のパケット通信のトラヒックが音声通話に影響を与えないように、ＲＮＣ１０や無線基地局２０を接続している仮想パス５０を、音声通話用パスとパケット通信用パスに分ける方式が存在する。
【００５７】
例えば、音声通話用のパスをパケット通信用として使用することはできない。逆に、パケット通信用のパスを音声通話用として使用することはできない。
【００５８】
この時、仮想パス５０には、音声通話用／パケット通信用であることを識別するためにパラメータ“ＱＯＳクラス”が設定されている。
【００５９】
本発明は、ＣＤＭＡ移動体通信システムのＲＮＣ１０や無線基地局２０を接続している仮想パス５０を、音声通話用パスとパケット通信用パスに分ける方式を適用していることが前提となる。
【００６０】
例えば、通信トラヒックが輻輳している時には、パケット通信を優先したい場合、ＲＮＣ１０はトラヒックが増大していることを認識したら、「非常」の状態であると判断して、本来は音声通話用の仮想パスをパケット通信用パスとして使用するようにする。
【００６１】
ＲＮＣ１０は、トラヒック量が通常に戻ったことを認識したら、「通常」の状態であると判断して、本来は音声通話用の仮想パスを通常通りに音声通話用パスとして使用するようにする。これによって音声通話要求の制限と、パケット通信要求の優先が可能となる。
【００６２】
本発明では、ＲＮＣがトラヒックの増大を察知して、特定のサービス用に確保しているパスを別のサービスにアサインできるように動的に切り替える方式を提案する。
【００６３】
本発明では、従来は、仮想パス１本あたりに１つであったパラメータ“ＱＯＳクラス”を、パラメータ“ＱＯＳクラス（通常）”と“ＱＯＳクラス（非常）”の２種類を用意するようにする。
【００６４】
通常時には、パラメータ“ＱＯＳクラス（通常）”を使用するようにする。
【００６５】
トラヒックが増大している非常時には、パラメータ“ＱＯＳクラス（非常）”  を使用するようにする。
【００６６】
すなわち、例として、音声通話用パスに対して、パラメータ“ＱＯＳクラス（通常）”を“音声通話用”、パラメータ“ＱＯＳクラス（非常）”を“パケット通信用”と設定することによって、非常時には、この音声通話用パスはパケット通信用パスとして使用することができるようになる。
【００６７】
これによって、非常時には、音声通話要求を制限して、パケット通信要求を優先することができるようになる。
【００６８】
また、別の例として、パラメータ“ＱＯＳクラス（通常）”と“ＱＯＳクラス（非常）”の両方を“音声通話用”と設定することによって、このパスは非常時でも通常時と同様に音声通話用パスとして使用することができるようになる。
【００６９】
これにより非常時に、音声通話要求を全て拒絶するのではなく、少量の要求は受け付けることができるようになる。
【００７０】
本発明では、ＲＮＣ１０は、負荷監視手段が、自身のＣＰ（呼処理演算処理装置）の負荷を常時測定することによって、自ＲＮＣにかかるトラヒック量を判断する。
【００７１】
ＣＰ負荷が、ある閾値（予め設定される所定の閾値）を上回ったら、ＲＮＣ１０はトラヒック量が増大していると判断して、非常時と判断する。
【００７２】
ＣＰ負荷が、ある閾値を下回ったら、ＲＮＣはトラヒック量が減少していると判断して、通常時と判断する。
【００７３】
図２は、本発明の動作を説明するための模式図である。図２（Ａ）には、ＲＮＣとＢＴＳ間、又は、ＲＮＣと対向するＲＮＣ間の通常時の仮想パス、図２（Ｂ）には、ＲＮＣとＢＴＳ間、又は、ＲＮＣと対向するＲＮＣ間の、非常時の仮想パスが示されている。
【００７４】
本発明は、ＲＮＣとＢＴＳ間、又は、ＲＮＣと対向するＲＮＣ間の有線伝送システムの有線回線帯域の利用優先度を、ＲＮＣの負荷上昇に連動して、切り替えるものである。
【００７５】
図２を参照すると、ＲＮＣのＣＰ負荷測定部（負荷監視手段）において、自身のＣＰ負荷を常時測定する。
【００７６】
ＲＮＣのＣＰ負荷測定部（負荷監視手段）での測定結果がある閾値（予め定められた閾値）を下回っている場合には、状態は通常であると判断し、ＲＮＣは、仮想パス毎にある状態フラグを「通常」と設定する。
【００７７】
ＲＮＣは、ある仮想パスの状態フラグが「通常」である場合には、その仮想パスのパラメータ“ＱＯＳクラス（通常）”を参照して、その仮想パスが、音声通話用であるか、パケット通信用であるかを判定する。
【００７８】
一方、ＣＰ負荷の測定結果が、ある閾値（予め定められた閾値）を上回った場合、状態は「非常」であると判断し、ＲＮＣは、仮想パス毎にある状態フラグを「非常」と設定する。
【００７９】
ＲＮＣは、ある仮想パスの状態フラグが「非常」である場合は、その仮想パスのパラメータ“ＱＯＳクラス（非常）”を参照して、その仮想パスが音声通話用であるか、パケット通信用であるかを判定する。
【００８０】
本発明を、ＲＮＣとＲＮＣとの間の仮想パスについて適用すると、任意の仮想パスに対して、一方のＲＮＣにおいてはＣＰ負荷がある閾値を上回っているため非常時と判断しているが、もう一方のＲＮＣにおいてはＣＰ負荷がある閾値を下回っているため通常時と判断している場合があり得ることが想定される。
【００８１】
この場合、これらのＲＮＣの間の仮想パスを非常時として使用するか、それとも通常時として使用するかについて不一致が現れる。
【００８２】
この問題を解決する為に、仮想パスに対して、一方のＲＮＣを主（Ｏｗｎｅｒ）、もう一方のＲＮＣを従（Ｎｏｔ  Ｏｗｎｅｒ）として、Ｏｗｎｅｒｓｈｉｐ（所有権）を定める。
【００８３】
そして、仮想パス毎に通常時／非常時の状態を設定するようにする。
【００８４】
ＲＮＣは、自身が主（Ｏｗｎｅｒ）となっている仮想パスに対してのみ、ＣＰ負荷による通常時／非常時の判断に基づいて、状態（通常時／非常時）を設定するようにする。
【００８５】
更に、該当の仮想パスの状態（通常時／非常時）を対向するＲＮＣに通知するようにする。
【００８６】
ＲＮＣは、従（Ｎｏｔ  Ｏｗｎｅｒ）となっている仮想パスに対して、ＣＰ負荷による通常時／非常時の判断に基づいた状態（通常時／非常時）を設定しない。対向するＲＮＣ（その仮想パスのＯｗｎｅｒ）からの通知に従ってのみ、状態（通常時／非常時）を設定するようにする。
【００８７】
以下、本発明の実施例の構成について図面を参照して詳細に説明する。
【実施例】
【００８８】
本実施例のＲＮＣは、第１乃至第３の機能を具備する。３つの機能は、それぞれ、図３、図５、図７にて示される構成によって実現される。
【００８９】
図３を参照すると、本実施例において第１機能を実現するＲＮＣ１０は、ＣＰ負荷監視装置１１と、データ処理装置１２と、記憶装置１３と、出力装置１４とを備えている。
【００９０】
ＣＰ負荷監視装置１１は、ＣＰ負荷監視手段１１１を備えている。
【００９１】
データ処理装置１２は、仮想パス情報取り出し手段１２１と、仮想パス情報書き込み手段１２２と、メッセージ生成手段１２３とを備えている。
【００９２】
記憶装置１３は、仮想パス情報（仮想パス番号、Ｏｗｎｅｒｓｈｉｐ、状態フラグ）記憶部１３１と、生成メッセージ記憶部１３２とを備えている。
【００９３】
これらの手段はそれぞれ概略つぎのように動作する。
【００９４】
ＣＰ負荷監視手段１１１は、ＣＰ負荷を常時監視する。ＣＰ負荷が、ある閾値（予め定められた閾値）を上回った時、又は、当該ある閾値を下回った時、データ処理装置１２に通知する。
【００９５】
仮想パス情報取り出し手段１２１は、ＣＰ負荷監視手段１１１からの通知を受けて、仮想パス情報（仮想パス番号、Ｏｗｎｅｒｓｈｉｐ、状態フラグ）記憶部１３１から、仮想パス情報（仮想パス番号）と仮想パス情報（Ｏｗｎｅｒｓｈｉｐ）を取り出す。
【００９６】
仮想パス番号は、仮想パスを識別する為の番号である。
【００９７】
仮想パス情報（Ｏｗｎｅｒｓｈｉｐ）は、１つのＲＮＣにおいて仮想パス毎に設定されている。
【００９８】
仮想パス情報（Ｏｗｎｅｒｓｈｉｐ）は、仮想パスのＯｗｎｅｒｓｈｉｐ（所有権）を定めており、主：“Ｏｗｎｅｒ”又は、従：“Ｎｏｔ  Ｏｗｎｅｒ”が設定される。
【００９９】
ある仮想パスに対して、両側のＲＮＣが同じ値（Ｏｗｎｅｒ又はＮｏｔ  Ｏｗｎｅｒ）とはならないように設定される。一方のＲＮＣがＯｗｎｅｒならば、その対向ＲＮＣはＮｏｔ  Ｏｗｎｅｒが設定される。
【０１００】
仮想パス情報書き込み手段１２２は、仮想パス情報（仮想パス番号、Ｏｗｎｅｒｓｈｉｐ、状態フラグ）記憶部１３１に、仮想パス情報（状態フラグ）の設定値を書き込む。
【０１０１】
仮想パス情報（状態フラグ）は、１つのＲＮＣにおいて仮想パス毎に設定されている。
【０１０２】
仮想パス情報（状態フラグ）は、状態が通常であるか又は非常であるかを仮想パス毎に示している。
【０１０３】
メッセージ生成手段１２３は、対向ＲＮＣ向けのメッセージ「状態フラグを非常に変更」又は「状態フラグを通常に変更」を生成して、生成メッセージ記憶部１３２に書き込む。
【０１０４】
仮想パス情報（仮想パス番号、Ｏｗｎｅｒｓｈｉｐ、状態フラグ）記憶部１３１は、１つのＲＮＣにおける全ての仮想パスに対する仮想パス情報（仮想パス番号）、仮想パス情報（Ｏｗｎｅｒｓｈｉｐ）及び仮想パス情報（状態フラグ）を記憶している。
【０１０５】
生成メッセージ記憶部１３２は、メッセージ生成手段１２３が生成したメッセージ「状態フラグを非常に変更」又は「状態フラグを通常に変更」を記憶する。
【０１０６】
出力装置１４は、生成メッセージ記憶部１３２に記憶されたメッセージ「状態フラグを非常に変更」又は「状態フラグを通常に変更」を、対向ＲＮＣに向けて送信する。
【０１０７】
図４は、図３の本発明の一実施例における第１機能の動作を説明するフローチャートである。図３、図４のフローチャートを参照して、本発明の一実施例の第１機能の動作を説明する。この実施例は、ＣＰ負荷を監視して状態（通常／非常）を切り替える。
【０１０８】
ＣＰ負荷監視手段１１１は、ＣＰ負荷を常時監視している。ＣＰ負荷がある閾値を上回った時、又は、ある閾値を下回った時、データ処理装置１２に通知する。
【０１０９】
仮想パス情報取り出し手段１２１は、ＣＰ負荷監視手段１１１からの通知を受けて、仮想パス情報（仮想パス番号、Ｏｗｎｅｒｓｈｉｐ、状態フラグ）記憶部１３１から、任意の仮想パス１本の仮想パス情報（仮想パス番号、Ｏｗｎｅｒｓｈｉｐ）を取り出す（図４のステップＡ１）。
【０１１０】
ＣＰ負荷がある閾値を上回ったか否か判定し（図４のステップＡ２）、ＣＰ負荷がある閾値を上回った場合（図４のステップＡ２のＹＥＳ分岐）、取り出した仮想パス情報（Ｏｗｎｅｒｓｈｉｐ）の値を確認する（図４のステップＡ３）。
【０１１１】
“Ｏｗｎｅｒ”の場合（図４のステップＡ３のＹＥＳ分岐）、仮想パス情報書き込み手段１２２は、仮想パス情報（仮想パス番号、Ｏｗｎｅｒｓｈｉｐ、状態フラグ）記憶部１３１に、その仮想パスの仮想パス情報（状態フラグ）に“非常”として書き込む（図４のステップＡ４）。
【０１１２】
“Ｎｏｔ  Ｏｗｎｅｒ”の場合（図４のステップＡ３のＮＯ分岐）、メッセージ生成手段１２３は、対向ＲＮＣ向けのメッセージ「状態フラグを非常に変更」を生成して、生成メッセージ記憶部１３２に書き込む（図４のステップＡ５）。メッセージには、状態フラグ変更対象の仮想パスを識別できるように仮想パス情報（仮想パス番号）を埋め込む。
【０１１３】
そして、ステップＡ９の未処理の仮想パスがあるか否かの判定に移行する。
【０１１４】
図４のステップＡ２で、ＣＰ負荷がある閾値を下回った場合（図４のステップＡ２のＮＯ分岐）、取り出した仮想パス情報（Ｏｗｎｅｒｓｈｉｐ）の値を確認する（図４のステップＡ６）。
【０１１５】
“Ｏｗｎｅｒ”の場合（図４のステップＡ６のＹＥＳ分岐）、仮想パス情報書き込み手段１２２は、仮想パス情報（仮想パス番号、Ｏｗｎｅｒｓｈｉｐ、状態フラグ）記憶部１３１に、その仮想パスの仮想パス情報（状態フラグ）に“通常”として書き込む（図４のステップＡ７）。
【０１１６】
“Ｎｏｔ  Ｏｗｎｅｒ”の場合（図４のステップＡ６のＮＯ分岐）、メッセージ生成手段１２３は、対向ＲＮＣ向けのメッセージ「状態フラグを通常に変更」を生成して、生成メッセージ記憶部１３２に書き込む（図４のステップＡ８）。メッセージには状態フラグ変更対象の仮想パスを識別できるように仮想パス情報（仮想パス番号）を埋め込む。
【０１１７】
そして、ステップＡ９の未処理の仮想パスがあるか否かの判定に移行する。
【０１１８】
ステップＡ９において、仮想パス情報（仮想パス番号、Ｏｗｎｅｒｓｈｉｐ）を取り出していない仮想パスが残っていたら（図４のステップＡ９のＹＥＳ分岐）、次の仮想パスの仮想パス情報（仮想パス番号、Ｏｗｎｅｒｓｈｉｐ）を取り出す（図４のステップＡ１）。そして上記と同様のステップを行う。
【０１１９】
ステップＡ９において、上記のステップを全ての仮想パスに対して行ったら（図４のステップＡ９のＮＯ分岐）、出力装置１４は、生成メッセージ記憶部１３２に記憶されているメッセージを対向ＲＮＣに向けて送信する（図４のステップＡ１０）。
【０１２０】
次に、第２の機能を実現するＲＮＣの実施例について説明する。この第２の機能は、対向ＲＮＣからの受信メッセージに基づき仮想パスの状態の制御を行うものである。図５を参照すると、ＲＮＣは、入力装置１５と、データ処理装置１２と、記憶装置１３’とを備えている。
【０１２１】
データ処理装置１２は、受信メッセージ読み出し手段１２４と、仮想パス情報書き込み手段１２２とを備えている。記憶装置１３’は、仮想パス情報（状態フラグ）記憶部１３１’を備えている。
【０１２２】
これらの手段はそれぞれ概略つぎのように動作する。
【０１２３】
入力装置１５は、対向ＲＮＣから送信されたメッセージ「状態フラグを非常に変更」又は「状態フラグを通常に変更」を受信する。
【０１２４】
受信メッセージ読み出し手段１２４は、入力装置１５が受信したメッセージを読み出して、「状態フラグを非常に変更」するのか、又は「状態フラグを通常に変更」するのかを認識する。
【０１２５】
仮想パス情報書き込み手段１２２は、受信メッセージ読み出し手段１２４の読み出し結果に従って、仮想パス情報（状態フラグ）記憶部１３１’に、仮想パス情報（状態フラグ）の設定値を書き込む。
【０１２６】
仮想パス情報（状態フラグ）記憶部１３１’は、１つのＲＮＣにおける全ての仮想パスに対する仮想パス情報（状態フラグ）を記憶している。
【０１２７】
図６は、図５に示したＲＮＣの第２の機能の動作を説明するフローチャートである。対向ＲＮＣから状態切り替え要求を受けた時に状態（通常／非常）を切り替える。
【０１２８】
入力装置１５は、対向ＲＮＣから送信されたメッセージ「状態フラグを非常に変更」又は「状態フラグを通常に変更」を受信する。
【０１２９】
受信メッセージ読み出し手段１２４は、入力装置１５が受信したメッセージを読み出して、状態フラグを変更する対象の仮想パスの仮想パス番号を取り出す。
【０１３０】
また、「状態フラグを非常に変更」するのか、又は「状態フラグを通常に変更」するのかを認識する（図６のステップＢ１）。
【０１３１】
メッセージ「状態フラグを非常に変更」を受信した場合、即ち、対向ＲＮＣにてＣＰ負荷がある閾値を上回ったか否か判定する（図６のステップＢ２）。
【０１３２】
対向ＲＮＣにてＣＰ負荷がある閾値を上回った場合（図６のステップＢ２のＹＥＳ分岐）、仮想パス情報書き込み手段１２２は、仮想パス情報（状態フラグ）記憶部１３１’に、対象の仮想パスの仮想パス情報（状態フラグ）に“非常”として書き込む（図６のステップＢ３）。
【０１３３】
メッセージ「状態フラグを通常に変更」を受信した場合、即ち、対向ＲＮＣにてＣＰ負荷がある閾値を下回った場合（図６のステップＢ２のＮＯ分岐）、仮想パス情報書き込み手段１２２は、仮想パス情報（状態フラグ）記憶部１３１’に、対象の仮想パスの仮想パス情報（状態フラグ）に“通常”として書き込む（図６のステップＢ４）。
【０１３４】
受信したメッセージに埋め込まれている全ての仮想パス番号に対して上記のステップを行う。
【０１３５】
仮想パス情報（状態フラグ）を更新していない仮想パス番号が残っている場合（図６のステップＢ５のＹＥＳ）、メッセージが「状態フラグを非常に変更」か「状態フラグを通常に変更」かに従って（図６のステップＢ２）、対象の仮想パスの仮想パス情報（状態フラグ）に値を書き込む（図６のステップＢ３又はステップＢ４）。
【０１３６】
図３及び図４を参照して説明した第１の機能と、図５及び図６を参照して説明した第２の機能の組み合わせによって、ＲＮＣのＣＰ負荷の変動に従って、各仮想パスの状態フラグを更新することができる。
【０１３７】
本実施例における、ＲＮＣの第３の機能について以下に説明する。図７を参照すると、ＲＮＣ１０は、入力装置１５’と、データ処理装置１２と、記憶装置１３”と、出力装置１４とを備えている。
【０１３８】
データ処理装置１２は、要求サービス種別取り出し手段１２５と、選択候補仮想パス取り出し手段１２６と、仮想パス情報取り出し手段１２１と、ＱＯＳクラスと要求サービス種別の比較手段１２７とを備えている。記憶装置１３”は、選択候補仮想パス（仮想パス番号）記憶部１３３と、仮想パス情報（状態フラグ、ＱＯＳクラス）記憶部１３１”とを備えている。
【０１３９】
これらの手段はそれぞれ概略つぎのように動作する。
【０１４０】
入力装置１５’は、端末からの音声通話要求、又はパケット通信要求に伴い、音声通話用仮想パス、又はパケット通信用仮想パスの割り当て要求を受ける。
【０１４１】
要求サービス種別取り出し手段１２５は、音声通話要求かパケット通信要求かを判断するために、入力装置１５’が受けた要求内容を参照する。
【０１４２】
選択候補仮想パス取り出し手段１２６は、選択候補仮想パス（仮想パス番号）記憶部１３３から、選択候補となる仮想パスの仮想パス番号を取り出す。
【０１４３】
仮想パス情報取り出し手段１２１は、仮想パス情報（状態フラグ、ＱＯＳクラス）記憶部１３１”から、仮想パス情報（状態フラグ）と仮想パス情報（ＱＯＳクラス）を取り出す。仮想パス情報（ＱＯＳクラス）は、１つのＲＮＣにおいて仮想パス毎に設定されており、“ＱＯＳクラス（通常）”と“ＱＯＳクラス（非常）”の２種類を設定する。
【０１４４】
ＱＯＳクラスと要求サービス種別の比較手段１２７は、仮想パス情報取り出し手段１２１にて取り出した仮想パス情報（ＱＯＳクラス）と、要求サービス種別取り出し手段１２５にて取り出した要求内容を比較する。
【０１４５】
選択候補仮想パス（仮想パス番号）記憶部１３３は、音声通話用又はパケット通信用に割り当て可能な仮想パスの仮想パス番号を記憶している。
【０１４６】
仮想パス情報（状態フラグ、ＱＯＳクラス）記憶部１３１”には、１つのＲＮＣにおける全ての仮想パスに対する仮想パス情報（状態フラグ）、及び仮想パス情報（ＱＯＳクラス）が記憶される。
【０１４７】
出力装置１４は、割り当て可能な音声通話用仮想パス又はパケット通信用仮想パスの仮想パス番号を出力する。
【０１４８】
図８は、図７のＲＮＣの動作を説明するフローチャートである。第３の機能は、各仮想パスが保持する状態（通常／非常）に従って、仮想パスの用途（音声通話用／パケット通信用）を切り替える機能である。
【０１４９】
入力装置１５’は、端末からの音声通話要求、又はパケット通信要求に伴い、音声通話用仮想パス又はパケット通信用仮想パスの割り当て要求を受ける。
【０１５０】
要求サービス種別取り出し手段１２５は、音声通話要求かパケット通信要求かを判断するために、入力装置１５’が受けた要求内容を参照する（図８のステップＣ１）。
【０１５１】
選択候補仮想パス取り出し手段１２６は、選択候補仮想パス（仮想パス番号）記憶部１３３から、選択候補となる仮想パスの仮想パス番号を１つ取り出す（図８のステップＣ２）。
【０１５２】
仮想パス情報取り出し手段１２１は、仮想パス情報（状態フラグ、ＱＯＳクラス）記憶部１３１”から、前ステップで取り出した選択候補の仮想パス番号に対応した仮想パス情報（状態フラグ、ＱＯＳクラス（通常）、ＱＯＳクラス（非常））を取り出す（図８のステップＣ３）。
【０１５３】
取り出した仮想パス情報（状態フラグ）が通常の場合（図８のステップＣ４のＹＥＳ分岐）、ＱＯＳクラスと要求サービス種別の比較手段１２７は、選択候補の仮想パス情報（ＱＯＳクラス（通常））と、要求サービス種別取り出し手段１２５が取り出した要求内容を比較する（図８のステップＣ５）。
【０１５４】
取り出した仮想パス情報（状態フラグ）が非常の場合（図８のステップＣ４のＮＯ分岐）、ＱＯＳクラスと要求サービス種別の比較手段１２７は、選択候補の仮想パス情報（ＱＯＳクラス（非常））と、要求サービス種別取り出し手段１２５が取り出した要求内容を比較する（図８のステップＣ６）。
【０１５５】
比較結果が一致する場合（図８のステップＣ７のＹＥＳの分岐）、出力装置１４は、選択候補の仮想パス番号を、割り当て可能な仮想パスの番号として出力する（図８のステップＣ８）。
【０１５６】
比較結果が一致しない場合（図８のステップＣ７のＮＯ分岐）、選択候補仮想パス取り出し手段１２６は、選択候補仮想パス（仮想パス番号）記憶部１３３から、次の選択候補となる仮想パスの仮想パス番号を１つ取り出す（図８のステップＣ２）。そして比較結果が一致するまで繰り返す。
【０１５７】
第３の機能によって、通常時には、パラメータ“ＱＯＳクラス（通常）”を使用するが、トラヒックが増大している非常時には、パラメータ“ＱＯＳクラス（非常）”を使用することができるようになる。
【０１５８】
本実施例の作用効果について以下に説明する。
【０１５９】
本実施例においては、ＲＮＣがトラヒックの増大を察知して、自動で、音声通話用パスをパケット通信パスに切り替えるため、災害などの非常時にトラヒックが増大して、携帯電話（音声通話／パケット通信）がかかりにくくなった場合に、自動的にパケット通信要求を優先することができる。
【０１６０】
本実施例においては、トラヒックが増大している時に、特定のサービス要求、例えば音声通話要求、を全て規制する構成の従来方式とは異なり、音声通話要求の受付可能量を縮小して少量は受け付けることができる。その理由は、少量の仮想パスに対して、パラメータ“ＱＯＳクラス（通常）”と“ＱＯＳクラス（非常）”の両方を“音声通話用”と設定することによって、非常時でもこれらの仮想パスは音声通話用パスとして使用することができるためである。
【０１６１】
なお、図４、図６、図８を参照して説明した処理は、ＲＮＣを構成するデータ処理装置（コンピュータ）等で実行されるコンピュータプログラムの制御により実現してもよいことは勿論である。
【０１６２】
以上、本発明を上記実施例に即して説明したが、本発明は上記実施例の構成にのみ制限されるものでなく、本発明の範囲内で当業者であればなし得るであろう各種変形、修正を含むことは勿論である。
【図面の簡単な説明】
【０１６３】
【図１】本発明の一実施の形態のシステム構成を示す図である。
【図２】本発明を説明するための図であり、（Ａ）は通常時、（Ｂ）は非常時を説明する図である。
【図３】本発明の一実施例のＲＮＣの第１機能対応の構成を示す図である。
【図４】本発明の一実施例のＲＮＣの第１機能の動作を示すフローチャートである。
【図５】本発明の一実施例のＲＮＣの第２機能対応の構成を示す図である。
【図６】本発明の一実施例のＲＮＣの第２機能の動作を示すフローチャートである。
【図７】本発明の一実施例のＲＮＣの第３機能対応の構成を示す図である。
【図８】本発明の一実施例のＲＮＣの第３機能の動作を示すフローチャートである。
【符号の説明】
【０１６４】
１０  ＲＮＣ
１１  ＣＰ負荷監視装置
１２  データ処理装置
１３、１３’、１３”  記憶装置
１４  出力装置
１５、１５’  入力装置
２０  無線基地局
３０  移動体通信端末
４０  セル
５０  仮想パス
１１１  ＣＰ負荷監視手段
１２１  仮想パス情報取り出し手段
１２２  仮想パス情報書き込み手段
１２３  メッセージ生成手段
１２４  受信メッセージ読み出し手段
１２５  要求サービス種別取り出し手段
１２６  選択候補仮想パス取り出し手段
１２７  ＱＯＳクラスと要求サービス種別の比較手段
１３１、１３１’、１３１”  仮想パス情報記憶部
１３２  生成メッセージ記憶部
１３３  選択候補仮想パス記憶部
【図１】
2007251494.tif 000003
【図２】
2007251494.tif 000004
【図３】
2007251494.tif 000005
【図４】
2007251494.tif 000006
【図５】
2007251494.tif 000007
【図６】
2007251494.tif 000008
【図７】
2007251494.tif 000009
【図８】
2007251494.tif 000010